(57)【要約】【課題】スリムでコンパクトな形状で、かつ清掃性および水浄化カートリッジの交換作業性の良好な浄水器付水栓を提供することを目的とする。【解決手段】台所のカウンターなどに設置され、水栓本体内部に開閉弁を設け、該開閉弁の下流側に位置する水栓本体内部に水浄化カートリッジを着脱可能に備え、水栓本体底面に設けられた原水流入部から供給された原水を浄化した後、吐出管から浄化水を吐出する浄水器付水栓において、略垂直直線状に下から上に向かって原水流入部、開閉弁、水浄化カートリッジ、吐出管を配設した。【選択図】  図１
2004263504.tif 000002
【特許請求の範囲】
【請求項１】
台所のカウンターなどに設置され、水栓本体内部に開閉弁を設け、該開閉弁の下流側に位置する水栓本体内部に水浄化カートリッジを着脱可能に備え、水栓本体底面に設けられた原水流入部から供給された原水を浄化した後、吐出管から浄化水を吐出する浄水器付水栓において、略垂直直線状に下から上に向かって原水流入部、開閉弁、水浄化カートリッジ、吐出管を配設したことを特徴とする浄水器付水栓。
【請求項２】
前記水浄化カートリッジは円筒形とし、水浄化カートリッジへの原水の流入口を円筒外周面とし、浄化された水が水浄化カートリッジから流出する浄水流出口を上端面としたことを特徴とする請求項１に記載の浄水器付水栓。
【請求項３】
前記水浄化カートリッジを収容するカートリッジ収容部の容積を開閉弁の下流に滞留する水の容積より大きくしたことを特徴とする請求項１または請求項２に記載の浄水器付水栓。
【発明の詳細な説明】
【０００１】
【発明の属する技術分野】
本発明は、水道水を浄化して使用するために家庭の台所などに取付けられる浄水器付水栓に関するものである。
【０００２】
【従来の技術】
水道水中に混在している不純物やにおいの元となる成分を取り除くために、特に家庭の台所や飲食店などでは浄水器を使用することが多くなってきている。このような浄水器の大半は水栓の蛇口に直結するタイプのものであるが、本発明が対象としているもののように、水栓本体に水浄化カートリッジを内蔵するよう構成されるものもある。
【０００３】
従来の浄水器付水栓は、水栓本体の底部に垂下状に設けられた原水流入部、水栓本体の外周面側方に突出した開閉ハンドル、水栓本体外周前方に突設されたステーパイプ、該ステーパイプから支持されている吐出管、水栓本体上面に設けられた原水出口と浄水入口にそれぞれ水密嵌合される原水取出口と浄水出口を備え、水栓本体に着脱可能になされた水浄化カートリッジで構成されている。（例えば、特許文献１参照）
【０００４】
【特許文献１】
特開平１０−１６５９４７号公報
【０００５】
【発明が解決しようとする課題】
ところが従来の浄水器付水栓は、水浄化カートリッジの原水取出口と浄水出口が水栓本体上部の同一面に設けられた原水出口と浄水入口にそれぞれ水密嵌合されているため、水浄化カートリッジへ原水を供給する原水供給室と水浄化カートリッジで浄化された浄水を受け入れる浄水流入室を横並びに設ける必要がある。そのため、水栓本体の水平方向断面積を大きくする結果となる。
【０００６】
また、水浄化カートリッジへ原水を供給する原水供給室と水浄化カートリッジで浄化された浄水を受け入れる浄水流入室を横並び同一面に設けられているため、水浄化カートリッジの内部構造が複雑になり吐水量を確保して水浄化カートリッジをコンパクトにすることは困難であり、さらに水浄化カートリッジの交換作業時に回転方向を位置決めする必要があった。
【０００７】
また、水浄化カートリッジから水栓本体の原水流入室に下降流入した浄水を使い勝手のよい吐水口高さまで立ち上げるために、水栓本体内の通水路が複雑な構成となり、ステーパイプも水栓本体外周面前方から突出させ、ステーパイプから上方に向かって吐出管を設置せざるをえなかった。この水栓本体の複雑な構成に対応するには、水栓本体を鋳物でないとできなかった。
【０００８】
さらに、台所カウンターなどの取付け面に対する投影面積が更に大きくなり、この取付け面を有効に使用できる範囲を狭めることとなり、更に、凹凸や隙間が多い形状であるため、清掃しづらいという問題もあった。
【０００９】
また、水浄化カートリッジを覆うカバー下面が水浄化カートリッジ下面とほぼ同一の位置にあるため、かつ水浄化カートリッジが開閉弁の下流側に位置するため、水浄化カートリッジを交換しょうと水浄化カートリッジを引き抜いたときに、開閉弁の下流に滞留した水が浄水器付き水栓の周囲に溢れ出す構造であった。
【００１０】
本発明は、上記問題を解決するために、スリムでコンパクトな形状で、かつ清掃性および水浄化カートリッジの交換作業性の良好な浄水器付水栓を提供することを目的とする。
【００１１】
【課題を解決するための手段】
本発明の浄水器付水栓は、台所のカウンターなどに設置され、水栓本体内部に開閉弁を設け、該開閉弁の下流側に位置する水栓本体内部に水浄化カートリッジを着脱可能に備え、原水流入部から供給された原水を浄化した後、吐出管から浄化水を吐出する浄水器付水栓において、略垂直直線状に下から上に向かって原水流入部、開閉弁、水浄化カートリッジ、吐出管を配設したことを特徴とする。
【００１２】
これにより、浄水器付水栓は幅および奥行き寸法の小さい、縦長形状に構成することができ、台所のカウンターなど設置面に対する浄水器付水栓の投影面積を抑え、台所カウンターなどを有効に活用できる面積を大きくすることができる。
また、浄水器付水栓は幅および奥行き方向が小さい、スマートな縦長形状に構成することができるため、意匠性に優れたものとなり、凹凸の少ない形状にすることができるため、清掃性の良いものとなる。
さらに、水栓本体内の通水路も簡単な構成となり、水栓本体の製造方法は鋳物に限定されず、様々な製造方法をとることができ製造費用が安価なものを容易に選択できる。
【００１３】
また、水浄化カートリッジは円筒形とし、水浄化カートリッジへの原水の流入口を円筒外周面とし、浄化された水が水浄化カートリッジから流出する浄水流出口を上端面としたことを特徴とした。
【００１４】
これにより、水浄化カートリッジの水平断面積を小さくすることが可能となり、これに伴い、それを外装する浄水器付水栓の幅および奥行き寸法が小さくなるため、本発明の効果を更に高めることができる。
また、水浄化カートリッジに回転方向性がないため、水浄化カートリッジの交換時に回転方向の位置決めをする必要がなく、水浄化カートリッジの交換作業が容易に行うことができる。
【００１５】
また、水浄化カートリッジを収容するカートリッジ収容部の容積を、開閉弁の下流に滞留する水の容積より大きくした。
【００１６】
これにより、水浄化カートリッジを交換しようと水浄化カートリッジを引き抜いたときに、開閉弁の下流に滞留した水がカートリッジ収容部内に全て収まることになるので、浄水器付水栓の周囲に溢れ出すことを防止することができる。
【００１７】
【発明の実施の形態】
図１は本発明の浄水器付水栓の実施形態を示す縦断面図、図２はその側面図である。図３は本発明の浄水器付水栓内の開閉弁を示す縦断面図、図４は図３で示した開閉弁の横断面図である。
【００１８】
この浄水器付水栓１は、水道水などの原水を水栓本体２に導入するために水栓本体２下部に給水管９を介し原水流入部４と接続されている。該水栓本体２は、原水流入部４の真上に位置し、原水流入部４から流入された原水を水浄化カートリッジ３へ供給／停止するための開閉弁５、及び該開閉弁５に固定され、水栓本体２外周面側方に突出した開閉ハンドル６を具備している。ここで、水浄化カートリッジ３は開閉弁５の下流側である真上の水栓本体２内部に位置し、開閉弁５から供給された原水を浄化するものである。さらに、浄水器付水栓１は、水浄化カートリッジ３の真上に設けられた浄水を吐出するための吐出管７、及び水栓本体２上部に螺子接続され水浄化カートリッジ交換時に開閉する蓋材８から構成されている。
【００１９】
原水流入部４は水栓本体２の底部に設けられ、給水管９から供給される水道水などの原水を水栓本体に導入する一方、外周面に螺子形状を有しており、ナット１０をねじ込むことにより台所のカウンターなどの設置面に強固に設置する役目も担っている。
【００２０】
開閉弁５は水栓本体２の側方に設けた円筒状開口部から差込み、固定部材１２で水栓本体２に固定されている。開閉弁５は二重円筒で構成されており、外側円筒５１には１８０度の間隔で二箇所の開口５１Ａ、５１Ｂが設けられており、一方５１Ａが真上、他方５１Ｂが真下を向くように水栓本体２に固定されている。さらに開口部５１Ａと５１Ｂに連通して開口２Ａ、２Ｂが水栓本体２に設けられている。
【００２１】
また、図３及び図４に示すように内側円筒５２には１８０度の間隔で二箇所の開口５２Ａ、５２Ｂがありる。図３の（Ａ）に示すように開口５２Ａ、５２Ｂが水平方向に向いた位置では、水浄化カートリッジ３への原水の供給を停止し、図３の（Ｂ）に示すように開口５２Ａ、５２Ｂが垂直方向に向いた位置では水浄化カートリッジ３へ最大量の原水の供給、つまりは最大量の浄水の吐水を行うことになる。開口５２Ａ、５２Ｂが水平方向に向いた位置から垂直方向に向いた位置までに移動する間は、徐々に開口面積が増加していくのに伴い、流量が徐々に増加することになる。
なお、開閉弁５は開閉ハンドル６と連動するよう固定されているため、開閉ハンドル６を操作することにより、浄水の吐水、止水、流量の調整を自由に行うことができる。
【００２２】
水浄化カートリッジには、合成樹脂からなる円筒形状のケース内に原水中の残留塩素やにおいの元となる物質を吸着する活性炭や、微細な汚れを除去するための中空糸膜を収納しており、既に公知となっている技術である。
【００２３】
本発明では、水浄化カートリッジ３のケース外周面の設けられた複数の開口部３Ａから原水が流入し、活性炭や中空糸膜を通過した浄水が上端面３Ｂから排出されるよう構成されている。
このような原水の流入位置及び浄水の排水位置とすることによって、活性炭などの吸着材と原水との接触面積を増加させることができるので、吐水量を減少させること無しに水浄化カートリッジをよりコンパクトな形状にすることができる。
【００２４】
水浄化カートリッジで浄化された浄水は吐出管７から吐水されることになるが、この吐出管７は吐水口下の空間を十分に確保するために垂直方向に立ち上がった後、前方に緩やかに曲げられ、略垂直下方向に吐水されるような形状となっている。
【００２５】
蓋材８には、水浄化カートリッジ３がシール材を介して接続保持され、また、水栓本体２とはシール材で水密状態を保った状態で螺子接続されている。水浄化カートリッジ３の目詰りや浄化能力の低下などの理由で水浄化カートリッジ３を交換する場合は、この蓋材８を回転し、取り外すことになる。
【００２６】
この際、開閉弁５の下流側にある水栓本体２内のカートリッジ収容部２１、水浄化カートリッジ３及び吐水管７に滞留した水がカートリッジ収容部に全て収まるようにカートリッジ収容部の容積を確保している。
すなわち、水浄水カートリッジ３の容積をＱ、水浄化カートリッジ３内で水を収容できる容積をＱ１、カートリッジ収容部２１より水浄水カートリッジ３の容積を除いた容積をＰ、吐水管７にＣ面まで滞留する水の容積をＲとると、
開閉弁５の下流側に滞留する水の容積Ｔは、次式（１）で表せる。
Ｔ＝Ｑ１＋Ｐ＋Ｒ・・・（１）
また、カートリッジ収容部２１の容積Ｓは、次式（２）で表せる。
Ｓ＝Ｑ＋Ｐ・・・（２）
このカートリッジ収容部容積Ｓが、開閉弁５の下流側に滞留する水の容積Ｔより大きくなる次式（３）表した関係になるように、カートリッジ収容部２１の容積、水浄化カートリッジ３の容積及び吐水管７の容積を確保している。
Ｓ＞Ｔ・・・（３）
ここで、水浄化カートリッジ３内で水を収容できる容積Ｑ１は、水浄化カートリッジ内の空隙であり、水浄化カートリッジ全体の容積Ｑに対して通常約５０％の容積である。
これにより、交換の際に水栓本体から水が溢れ出すことがなくなる。
【００２７】
以上のように原水流入部４の真上に開閉弁５を配置し、開閉弁５の下流側である真上に水浄化カートリッジ３を配置し、水浄化カートリッジ３の真上に吐出管７を配置したことによって、水平断面積の小さい縦長の浄水器付水栓としたことが本発明の大きな特徴である。
【００２８】
【発明の効果】
本発明により、以下に示す効果を発揮する。
【００２９】
請求項１の発明では、台所のカウンターなどに設置され、水栓本体内部に開閉弁を設け、該開閉弁の下流側に位置する水栓本体内部に水浄化カートリッジを着脱可能に備え、水栓本体底面に設けられた原水流入部から供給された原水を浄化した後、吐出管から浄化水を吐出する浄水器付水栓において、略垂直直線状に下から上に向かって原水流入部、開閉弁、水浄化カートリッジ、吐出管を配設したことを特徴とした。
これにより、浄水器付水栓は幅および奥行き方向が小さい、縦長形状に構成することができ、台所のカウンターなど設置面に対する投影面積を抑え、台所カウンターなどを有効に使用できる面積を広くすることができる。また、浄水器付水栓は幅および奥行き方向が小さい、スマートな縦長形状に構成することができるため、意匠性に優れ、更に、凹凸の少ない形状にすることができるため、清掃性の良いものとなる。さらに、水栓本体内の通水路も簡単な構成となり、水栓本体の製造方法は鋳物に限定されず、様々な製造方法をとることができ製造費用が安価なものを容易に選択できる。
請求項２の発明では、水浄化カートリッジは円筒形とし、水浄化カートリッジへの原水の流入口を円筒外周面とし、浄化された水が水浄化カートリッジから流出する浄水流出口を上端面とすることを特徴とした。
これにより、水浄化カートリッジの水平断面積を小さくすることが可能となり、これに伴い、浄水器付水栓の水平断面積が小さくなるため、本発明の効果を更に高めることができる。また、水浄化カートリッジに回転方向性がないため、水浄化カートリッジの交換作業性が良好となる。
請求項３の発明では、前記水浄化カートリッジを収容するカートリッジ収容部の容積を開閉弁の下流に滞留する水の容積より大きくしたことを特徴とした。  これにより、メンテ時に滞留水が水栓の周囲に溢れ出すことを防止できる。
【図面の簡単な説明】
【図１】本発明の浄水器付水栓の実施形態を示す縦断面図である。
【図２】同浄水器付水栓の側面図である。
【図３】本発明の浄水器付水栓内の開閉弁を示す縦断面図である。
【図４】図３で示した開閉弁の横断面図である。
【符号の説明】
１：浄水器付水栓
２：水栓本体
２Ａ：開口
２Ｂ：開口
３：水浄化カートリッジ
３Ａ：開口部
３Ｂ：上端面
４：原水流入部
５：開閉弁
６：開閉ハンドル
７：吐出管
８：蓋材
９：給水管
１０：ナット
１１：カウンター
１２：固定部材
２１：カートリッジ収容部
５１：外側円筒
５１Ａ：開口
５１Ｂ：開口
５２：内側円筒
５２Ａ：開口
５２Ｂ：開口
【図１】
2004263504.tif 000003
【図２】
2004263504.tif 000004
【図３】
2004263504.tif 000005
【図４】
2004263504.tif 000006